(57)【要約】      （修正有）【課題】歩行による甲紐の擦り切れを防止できる甲紐固定部材と、それを備えた履物を提供する。【解決手段】甲紐固定部材を備えた甲紐付き履物は、履物本体１に、少なくとも足の第１指と第２指との付け根の間に対応する箇所と、足の甲の両側部に対応する箇所とに、又は足を囲む内側と外側の少なくとも４箇所に固定紐通し孔が設けられ、各固定紐通し孔から、Ｕターン部分を有する甲紐固定部材４、５が飛び出ており、飛び出た各Ｕターン部分に甲紐が結び付けられている。【選択図】図１
0003222539.tif 000002
【実用新案登録請求の範囲】
【請求項１】
足に履物本体を固定するときの甲紐を結び付けるための甲紐固定部材であって、前記履物本体内に組み込まれる扁平なシート部と、前記甲紐が結び付けられる固定紐と、を備え、前記シート部には、裏面から前記固定紐を部分的に飛び出させる紐差し込み孔が設けられ、前記固定紐は、２つ折りにされたＵターン部分が、前記紐差し込み孔から部分的に飛び出し、前記Ｕターン部分から伸びる両端部分が、前記シート部の裏面に縫合されている、甲紐固定部材。
【請求項２】
前記紐差し込み孔は前記シート部の中心からずれた位置に設けられている請求項１に記載の甲紐固定部材。
【請求項３】
前記シート部が、皮革または布地でできている請求項１または請求項２に記載の甲紐固定部材。
【請求項４】
請求項１から３のいずれか１項に記載の甲紐固定部材を備えた甲紐付き履物であって、前記履物本体には、少なくとも足の第１指と第２指との付け根の間に対応する箇所と、足の甲の両側部に対応する箇所とに、又は足を囲む内側と外側の少なくとも４箇所に設けられた各固定紐通し孔から、前記Ｕターン部分が飛び出ており、飛び出た前記各Ｕターン部分に前記甲紐が結び付けられている甲紐付き履物。
【請求項５】
前記履物本体には、第１指と第５指の付け根の両側部に対応する箇所に固定紐通し孔を設け、前記各固定紐通し孔から前記Ｕターン部分が飛び出ており、飛び出た前記各Ｕターン部分に前記甲紐が結び付けられている前記請求項４に記載の甲紐付き履物。
【請求項６】
前記履物本体は本底と本底の上に設けられたクッション材を備え、  前記甲紐固定部材の前記シート部が、前記クッション材と前記本底との間に挟まれた状態で接合されている請求項４または５に記載の甲紐付き履物。
【請求項７】
前記履物本体は前記クッション材の上にさらに中敷きを備えた請求項６に記載の甲紐付き履物。
【請求項８】
前記甲紐付き履物が、サンダル又はワラーチである請求項４から７のいずれか1項に記載の甲紐付き履物。
【考案の詳細な説明】
【技術分野】
【０００１】
本考案は甲紐付き履物及び甲紐固定部材に関するものである。
【背景技術】
【０００２】
ワラーチと呼ばれる履物は図２４のように履物本体ａ２に甲紐通し孔ａ１のように孔をあけて図２５のように甲を押さえる甲紐ａ３を取り付けることで簡易的に製作でき、かつ個人の足の大きさに合わせて作れ、さらに指の付け根と踵を固定することで歩きやすい優れた履物である。
【考案の概要】
【考案が解決しようとする課題】
【０００３】
従来のワラーチで構造上改善するべき問題点は３つある。先ず１番目の問題点は図２６の裏面紐剥き出し部ａ５の箇所が履物本体ａ２の裏面側に甲紐ａ３が剥き出しになっており、歩行することで甲紐ａ３が擦り切れるという問題である。これにより外出時に切れることを想定し予備の甲紐ａ３を携帯するという手間が生じていた。突然履物が壊れた場合、緊急に対応をすることが困難な場合も考えられるのでこれはなんとしても改善したい問題である。
【０００４】
２番目の問題点は、図２６の紐端結び目ａ４である。これは履物本体ａ２に貫通した甲紐通し孔ａ１をあけて甲紐ａ３を差し込み、抜けない様に結び目を設けているのだが、歩行すると結び目を踏むことで足裏に違和感がでるという問題である。
【０００５】
３番目の問題点は図２７の側面裂け部ａ６である。この部分は甲紐ａ３を通す貫通孔があいており歩行することで甲紐ａ３により孔部分が引っ張られて孔から亀裂が生じて裂けるという問題である。上記の３つの問題点が原因でワラーチが市場に浸透しないと考えられる。この問題点を改善すればワラーチの実用性を高めることができ新たな市場を開拓できる。
【課題を解決するための手段】
【０００６】
本考案の甲紐固定部材は足に履物本体を固定するときの甲紐を結び付けるための甲紐固定部材であって、前記履物本体内に組み込まれる扁平なシート部と、前記甲紐が結び付けられる固定紐と、を備え、前記シート部には、裏面から前記固定紐を部分的に飛び出させる紐差し込み孔が設けられ、前記固定紐は、２つ折りにされたＵターン部分が、前記紐差し込み孔から部分的に飛び出し、前記Ｕターン部分から伸びる両端部分が、前記シート部の裏面に縫合されている。
【０００７】
本考案の甲紐固定部材の前記紐差し込み孔は前記シート部の中心からずれた位置に設けられている。
【０００８】
本考案の甲紐固定部材は、前記シート部が、皮革または布地でできている。
【０００９】
本考案の甲紐付き履物は、甲紐固定部材を備えた甲紐付き履物であって、前記履物本体には、少なくとも足の第１指と第２指との付け根の間に対応する箇所と、足の甲の両側部に対応する箇所とに、又は足を囲む内側と外側の少なくとも４箇所に設けられた各固定紐通し孔から、前記Ｕターン部分が飛び出ており、飛び出た前記各Ｕターン部分に前記甲紐が結び付けられている。
【００１０】
本考案の甲紐付き履物の前記履物本体に、第１指と第５指の付け根の両側部に対応する箇所に固定紐通し孔を設け、前記各固定紐通し孔から前記Ｕターン部分が飛び出ており、飛び出た前記各Ｕターン部分に前記甲紐が結び付けられている。
【００１１】
本考案の甲紐付き履物の前記履物本体は、本底と本底の上に設けられたクッション材を備え、  前記甲紐固定部材の前記シート部が、前記クッション材と前記本底との間に挟まれた状態で接合されている。
【００１２】
本考案の甲紐付き履物の前記履物本体は、前記クッション材の上にさらに中敷きを備えている。
【００１３】
本考案の甲紐付き履物の前記履物本体は、サンダル又はワラーチである。
【考案の効果】
【００１４】
裏面側に剥き出しになった甲紐を改善することで、外出時に予備の甲紐を携帯する必要がない。またこれまでは甲紐が切れることを想定し低価格な甲紐を使っていたが、デザイン性が高い工芸品の甲紐を使うことができるようになり、商品力を向上させることができる。
【００１５】
結び目がなくなることで歩行時の足裏に発生していた凸感がなくなり快適になる。
【００１６】
貫通穴がなくなることで亀裂が生じて裂けることがなくなり、これにより甲紐が固定できずに歩けなくなるという問題が改善される。
【図面の簡単な説明】
【００１７】
【図１】甲紐付き履物の履物本体の外観図
【図２】甲紐付き履物の外観図
【図３】足の外周の採寸方法説明図
【図４】甲側部紐位置の採寸方法説明図
【図５】第１指と第２指の付け根位置の採寸方法説明図
【図６】足採寸型紙の説明図
【図７】足採寸型紙の余白部裁断説明図
【図８】足採寸型紙の完成図
【図９】指付け根用甲紐固定部材の組み立て説明図
【図１０】指付け根用甲紐固定部材の完成図
【図１１】甲紐固定部材の左足と右足の配置図
【図１２】本底の加工方法説明図
【図１３】履物本体の組立説明図
【図１４】中敷き付き履物本体の組立説明図
【図１５】中敷き付き履物本体の完成図
【図１６】インソールを使った製作方法の説明図
【図１７】本底より小さいクッション材を使った製作方法の説明図
【図１８】クッション材の使用量を減らした製作方法の説明図
【図１９】クッション材を使わない製作方法の説明図
【図２０】外反母趾用甲紐付き履物の外観図
【図２１】外反母趾用甲紐付き履物の説明図
【図２２】複数列甲紐固定部材の説明図
【図２３】４点止め甲紐付き履物の説明図
【図２４】従来の甲紐付き履物の履物本体の説明図
【図２５】従来の甲紐付き履物の外観図
【図２６】従来の甲紐付き履物の裏面外観図
【図２７】従来の甲紐付き履物の背面外観図
【考案を実施するための形態】
【００１８】
本考案の実施の形態を図１〜図２３で説明する。まず図１〜図２で履物の完成図を説明した後、本履物は足の外周に合わせて製作するのでその際使用する足採寸型紙の製作方法を図３〜図８で説明し、その後図９〜図１１に基づき甲紐固定部材の構造と製作方法を説明し、図１２〜図２３に基づき甲紐固定部材を用いた甲紐付き履物の製作方法を説明する。
【実施例１】
【００１９】
先ず図１と図２に基づき本考案の甲紐付き履物が完成した状態を説明する。図１の履物本体１はクッション材２と本底３が接着剤で貼り合わされており、履物本体１の表面側には指付け根用甲紐固定部材４と甲側部用甲紐固定部材５が取り付けられている。なお指付け根用甲紐固定部材４は足の第１指と第２指との付け根の間に対応する場所に取り付けられ、甲側部用甲紐固定部材５は足の甲の両側部に対応する場所に取り付けられる。指付け根用甲紐固定部材４と甲側部用甲紐固定部材５は紐をＵターン状にしており、図２の甲紐６を結び取り付けることで甲紐付き履物７のような履物が完成する。
【００２０】
次に本考案の甲紐付き履物７は個人の足に合わせて製作するので足を採寸し型紙を作る工程を図３〜図８に基づき説明する。図３のように紙８の上に足を置き、足の外周を鉛筆でなぞることで足の外周線９のように線ができる。次に甲紐６を甲側部用甲紐固定部材５により固定する位置を採寸するため図４のように踝１０の真下より２ｃｍ〜５ｃｍ爪先方向に甲側部紐位置印１１の印をつける、このとき２ｃｍ〜５ｃｍと誤差があるのは、足の骨格や肉の付き方によって個人差があるためである。次に甲紐６を指付け根用甲紐固定部材４により固定する位置を採寸するため図５のように第１指と第２指の付け根１２に鉛筆を差し込み印をつける。このようにすると図６のように足の外周線９と指付け根紐位置印１３と甲側部紐位置印１１が採寸できるので、図７のように型紙余白部１４をカッターで切り抜くと図８のように足採寸型紙１５が完成する。
【００２１】
次に図１で示した履物本体１の表面側からＵターン部分が飛び出している固定紐をもつ指付け根用甲紐固定部材４と甲側部用甲紐固定部材５の構造と製作方法を図９〜図１１に基づき説明する。先ず図１０の指付け根用甲紐固定部材４の部材構成は図９のシート部１６と固定紐１８からなり、シート部１６は扁平で円形をしており、円形のシート部１６の中には紐差し込み孔１７があいている。紐差し込み孔１７に固定紐１８を２つ折りにしてＵターンの形状にしてシート部１６の裏面である本底接着面１９から表面である甲紐取付面２０に向けて通すと固定紐Ｕターン部２２が成形される。固定紐を通す長さは甲紐６が結べる長さであること、また履き心地が良い長さにしてもよいしデザインとして長くしてもよい。次に図１０のミシン縫い付け部２１のようにミシンでシート部１６と固定紐１８のＵターン部分から伸びる両端部分をシート部１６の裏面で縫合し固定する。シート部１６の素材の条件は扁平で０．６ミリ〜２．０ミリ程度の厚みで破れないこと、ミシンで縫合ができること、接着剤で接着できることであり皮革、布地または同等品を使う。シート部１６は円形をしており紐差し込み孔１７は円の中心よりずらしてあけている。その理由は図１１の指付け根用甲紐固定部材４の爪先側は接着面積が少なく十分な接着面積を確保するため踵方向にシートを大きくしたためである。固定紐１８のＵターン部分から伸びる両端部分の厚みでシート部１６の表面に向けて凸部分が発生するが、足裏の指の付け根の凹部分に合わさるので足裏で踏んだ時に違和感はでない。なお図１１で使っている指付け根用甲紐固定部材４と甲側部用甲紐固定部材５はシート部の形状が円形か長四角形かの違いのみであり構造と製作方法は同じである。また甲側部用甲紐固定部材５においても紐差し込み孔１７を中心からずらしてあけることで接着面積を大きくしている。指付け根用甲紐固定部材４と甲側部用甲紐固定部材５の形状を円形と長四角形で分けることで図１１のように右足と左足で部材を共用することができる。共用すれば材料の種類を減らすことができ、管理がしやすくなる。また量産する際、抜型を使って裁断を効率化するのだが、形状を共用することで用意する抜型の数を少なくすることができ抜型の製作コストを抑えることができる。なお指付け根用甲紐固定部材４は正確な円形である必要はなく、甲側部用甲紐固定部材５においても正確な長四角形である必要はない。次に固定紐１８について説明をする。固定紐１８は肌に直接触れるので素材と太さは履き心地に影響する。素材はアクリルや綿または工芸品の紐やアウトドアで使われる紐等を使うことができる。アクリル素材の紐は、安価で市販されており入手しやすく、太さが選べて強度があるという特徴がある。固定紐１８の太さは細すぎると強度が弱く、太すぎると外観上目立ちすぎるので、強度とデザインにあった太さにする。紐の太さは４ミリｘ４ミリ〜１０ミリｘ１０ミリ程度が望ましい。
【００２２】
次に図１２〜図１３に基づき足採寸型紙１５と指付け根用甲紐固定部材４と甲側部用甲紐固定部材５を使った図１の履物本体１の製作方法を説明する。先ず図１２のように足採寸型紙１５の形に合わせて本底シート２３をカッターで裁断し図１３の本底３のような形状にする。そして甲側部紐位置印１１と指付け根紐位置印１３のように甲紐を固定する位置を印付けする。次に本底３と同様に図１３のクッション材２も外周を裁断する。クッション材２には甲側部紐位置印１１と指付け根紐位置印１３に合わせて固定紐通し孔２４をあける。甲側部紐位置印１１は足の甲の両側部に対応する位置に付けられている。指付け根紐位置印１３は第１指と第２指の付け根に対応する位置に付けられている。これらの各部材を接着剤で貼り合わせると図１の履物本体１のようになる。
【実施例２】
【００２３】
実施例１の方法だと、履いているうちにクッション材２が分解しながら剥がれてくることがある。これを解決するのにクッション材２の上に中敷きを貼り付けて防止する方法がある。以下、図１４〜図１５に基づきその方法を説明する。先ず本底の形状に合わせて革を裁断して中敷き２５を作成する。次に中敷き２５の中に甲側部紐位置印１１と指付け根紐位置印１３に合わせて固定紐通し孔２４をあけ、中敷き２５の裏面とクッション材２の表面を接着剤により接着することで図１５の履物本体２６が完成する。なお中敷き２５は表面が起毛加工されたものを使うと歩いた時に滑らないのでより快適に歩行ができる。
【実施例３】
【００２４】
実施例１、実施例２ではクッション材を使う方法を説明したが、クッション材の代わりにインソールを使うこともできる。クッション材とインソールの違いは、クッション材は均一の厚みなのに対してインソールは足裏の形状と履き心地を考え成形されている。製作方法はクッション材と同じように固定紐を通す固定紐通し孔２４をあけ、固定紐を飛び出させ中敷きを貼り付けると完成する。インソールの形状によっては甲側部用甲紐固定部材５の固定紐を通す孔はあけずに図１６のようにインソール２７の横から表面に飛び出させる方法もある。又はインソール２７の横をくり抜いてえぐった孔から表面に引き出してもよい。
【実施例４】
【００２５】
次に図１７に基づきクッション材の側面が履物本体の側面にでない製作方法を説明する。この方法によりクッション材の側面が外観から見えなくすることでデザインをシンプルにすることができる。またクッション材の上に中敷きを貼った場合、クッション材が裂けて中敷きがはがれることがあったのだが、そうしたことを防ぐこともできる。図１７のように本底より一回り小さいクッション材２を用意し指付け根用甲紐固定部材４の固定紐を表面に引き出す。甲側部用甲紐固定部材５の固定紐については実施例１と同じように孔から飛び出してもいいのだが別の方法として図１７に示すようにくり抜いてえぐった孔から表面に引き出してもよい。強度と見た目を良くするのであればここに中敷きを貼り付ける。その後、甲紐を結び取り付ければ甲紐付き履物が完成する。
【実施例５】
【００２６】
次に図１８に基づきクッション材の使用量を少なくする方法を説明する。母指球と小指球の位置に前足部クッション材２８を入れ、踵の位置に後足部クッション材２９を入れる。これに中敷きを貼り付けその後、甲紐を取り付ければ甲紐付き履物が完成する。
【実施例６】
【００２７】
実施例１や実施例２ではクッション材を使っていたが図１９のようにクッション材を使わないことで足裏に路面状態をより感じることができる。こうすることでマラソンや山を走られる方が路面状態を感じとりながら走ることができる。
【実施例７】
【００２８】
次に外反母趾の方に提供する甲紐付き履物の製作方法を説明する。外反母趾とは、足の変形のことで足の第１指の付け根の関節が第２指の方に「くの字」に曲がり、骨が飛び出したようになったものである。この症状はそのままにしておくと悪化することがあり防止策として飛び出した骨を締めるようにして抑えるという方法がある。本考案の甲紐固定部材を使えば足の骨格に合わせて履物が作れるので、外反母趾の方の足に合わせた履物を製作することができる。これらの内容を図２０〜図２１に基づき説明をする。外反母趾向けの履物は図２１のように母指球の側部に母指球側部用甲紐固定部材３０と小指球の側部に小指球側部用甲紐固定部材３１が接着されている。この母指球側部用甲紐固定部材３０と小指球側部用甲紐固定部材３１に甲紐６を図２０のように「くの字」に曲がった骨を締め付けるように結び取り付けることで母指球側部の骨を抑えて骨の飛び出しが悪化しないようにすることができる。また本底と甲紐固定部材を接着剤で接着せずに本底の表面と甲紐固定部材の裏面にマジックテープ（登録商標）を貼る方法もある。この方法だと甲紐を取り付けて歩行確認して問題があれば甲紐固定部材の位置を変えて調整することができる。また甲紐について母指球と小指球の締め付けは甲紐６の代わりにマジックテープを使うこともできる。マジックテープを使えば微調整が容易にすることができ便利である。ここまでの方法は内反小趾の足に使うこともできる。内反小趾とは第５指の付け根の関節が第４指の方に「くの字」に曲がり、骨が飛び出したようになったものである。この方法により足の骨の変形を防止しさらに足に合う靴がない方に向けて甲紐付き履物を提供することができる。
【実施例８】
【００２９】
外反母趾の足の場合、母指球側部と小指球側部の位置を採寸して製作するのだが、別の方法として実際に履いて歩いて、痛くならない位置を知りそれをもとに同等のものを製作する方法を説明する。図２２で示した複数列甲紐固定部材３２のようにシート部に複数のＵターン状の固定紐を設ける。固定紐はそれぞれの孔を左右方向にずらした位置に設けている。こうすることで足に合わせた固定紐の位置を知ることができる。先ず履物本体に足を乗せ、足の幅や骨の位置に合わせて甲紐を通す。実際に歩いてみて緩くて歩きにくいことがなく、かつ締め付けすぎて痛くならないかを確認する。問題がある場合は甲紐を別の固定紐に通し、これを繰り返し快適に歩ける固定紐の位置を知る。その位置を基に履物本体に甲紐固定部材を貼り付けて製作をする。もしくは不要な固定紐のＵターン部分をハサミで切り落とせば個人の足に合わせた履物本体になる。
【実施例９】
【００３０】
実施例７では甲紐固定部材を５箇所に使い甲紐を取り付けていたが図２３のように指付け根用甲紐固定部材４を取り付けず４箇所の甲紐固定部材で甲紐を固定することで歩行はできる。指付け根用甲紐固定部材４をなくすことで新たなデザインの履物を製作することができる。実施例１〜実施例９で示したように甲紐固定部材を使うことで履き心地のいいワラーチが作れ、足の骨に合わせることもでき、新たなデザインを生み出すことができる。
【符号の説明】
【００３１】
１    履物本体
２    クッション材
３    本底
４    指付け根用甲紐固定部材
５    甲側部用甲紐固定部材
６    甲紐
７    甲紐付き履物
８    紙
９    足の外周線
１０    踝
１１    甲側部紐位置印
１２    第１指と第２指の付け根
１３    指付け根紐位置印
１４    型紙余白部
１５    足採寸型紙
１６    シート部
１７    紐差し込み孔
１８    固定紐
１９    本底接着面
２０    甲紐取付面
２１    ミシン縫い付け部
２２    固定紐Ｕターン部
２３    本底シート
２４    固定紐通し孔
２５    中敷き
２６    履物本体
２７    インソール
２８    前足部クッション材
２９    後足部クッション材
３０    母指球側部用甲紐固定部材
３１    小指球側部用甲紐固定部材
３２    複数列甲紐固定部材
ａ１    甲紐通し孔
ａ２    履物本体
ａ３    甲紐
ａ４    紐端結び目
ａ５    裏面紐剥き出し部
ａ６    側面裂け部
【図１】
0003222539.tif 000003
【図２】
0003222539.tif 000004
【図３】
0003222539.tif 000005
【図４】
0003222539.tif 000006
【図５】
0003222539.tif 000007
【図６】
0003222539.tif 000008
【図７】
0003222539.tif 000009
【図８】
0003222539.tif 000010
【図９】
0003222539.tif 000011
【図１０】
0003222539.tif 000012
【図１１】
0003222539.tif 000013
【図１２】
0003222539.tif 000014
【図１３】
0003222539.tif 000015
【図１４】
0003222539.tif 000016
【図１５】
0003222539.tif 000017
【図１６】
0003222539.tif 000018
【図１７】
0003222539.tif 000019
【図１８】
0003222539.tif 000020
【図１９】
0003222539.tif 000021
【図２０】
0003222539.tif 000022
【図２１】
0003222539.tif 000023
【図２２】
0003222539.tif 000024
【図２３】
0003222539.tif 000025
【図２４】
0003222539.tif 000026
【図２５】
0003222539.tif 000027
【図２６】
0003222539.tif 000028
【図２７】
0003222539.tif 000029